(57)【要約】【課題】給電を切とする意図がないのに不用意に扉を閉じてしまって給電が切となってしまうのを抑制する収納キャビネット及び収納家具を提供する。【解決手段】収納キャビネット１は、キャビネット本体２と、扉３と、給電部１１と、切替操作部４と、を備える。キャビネット本体２は、内部に形成される収納空間２０と、収納空間２０と前方の外部空間とを通じさせる開口２１と、を有する。扉３は、開口２１を開閉する。給電部１１は、収納空間２０に収納される電気機器に給電を行うためのものである。切替操作部４は、給電の入切を切替える操作を行うためのものである。切替操作部４は、給電を入とする入位置と、給電を切とする切位置との間を移動可能に構成される。切替操作部４は、入位置に位置している状態で、開口２１を閉塞していない扉３が開口２１を閉塞する方向に移動するのを規制する閉塞規制部を構成する。【選択図】図９
2020195555.tif 000002
【特許請求の範囲】
【請求項１】
内部に形成される収納空間と、前記収納空間と前方の外部空間とを通じさせる開口と、を有するキャビネット本体と、
前記開口を開閉する扉と、
前記収納空間に収納される電気機器に給電を行うための給電部と、
前記給電の入切を切替える操作を行うための切替操作部と、を備え、
前記切替操作部は、前記給電を入とする入位置と、前記給電を切とする切位置との間を移動可能に構成され、
前記切替操作部は、
前記入位置に位置している状態で、前記開口を閉塞していない前記扉が前記開口を閉塞する方向に移動するのを規制する閉塞規制部を構成し、
前記切位置に位置している状態で、前記閉塞規制部を構成しない
収納キャビネット。
【請求項２】
前記収納空間内に収納され、前記電気機器が載置される載置部を更に備え、
前記載置部は、前端部が前記キャビネット本体の前端部より前側に位置する載置部引出位置と、前記前端部が前記キャビネット本体の前記前端部より前側に位置しない載置部収納位置との間を移動可能に構成される
請求項１に記載の収納キャビネット。
【請求項３】
前記扉は、回転軸となる左右方向の一端部が前記キャビネット本体の前端部に位置し、左右方向の他端部が回転可能に構成されており、
前記切替操作部は、
前記キャビネット本体の下端部に位置し、
前記入位置では、前端部が前記キャビネット本体の前端部より前側に位置しており、
前記切位置では、前記前端部が前記キャビネット本体の前記前端部より前側に位置しない
請求項１又は２に記載の収納キャビネット。
【請求項４】
前記扉は、前記回転軸となる前記一端部が前記キャビネット本体の前記前端部に位置する扉引出位置と、前記一端部が前記キャビネット本体の前記前端部より後側に位置する扉収納位置との間を移動可能に構成される
請求項３に記載の収納キャビネット。
【請求項５】
前記扉として、左側の扉及び右側の扉を備え、
前記左側の扉の前記回転軸は前記キャビネット本体の左端部に位置し、前記右側の扉の前記回転軸は前記キャビネット本体の右端部に位置しており、
前記切替操作部の左右方向の長さは、前記収納空間の左右方向の長さを含む所定の長さ範囲内にある
請求項４記載の収納キャビネット。
【請求項６】
請求項３〜５のいずれか一項に記載の収納キャビネットと、前記収納キャビネットの下側に位置して前記収納キャビネットを載置する下段キャビネットと、を備え、
前記下段キャビネットは、内部に形成される下段収納空間と前方の外部空間とを通じさせる下段開口を有する下段キャビネット本体と、前記下段開口を開閉する下段扉と、前記下段開口を閉塞する前記下段扉と前記下段キャビネット本体の前面との間に配置されるパッキンと、を有し、
前記入位置にある前記切替操作部は、前記パッキンの前側に位置する
収納家具。
【発明の詳細な説明】
【技術分野】
【０００１】
本開示は、収納キャビネット及び収納家具に関し、更に詳しくは、キャビネット本体、扉、給電部を備える収納キャビネットと、収納キャビネット及び下段キャビネットを備える収納家具に関するものである。
【背景技術】
【０００２】
従来、収納部と、開閉扉と、電源コンセントと、リミットスイッチと、を備えた家電収納キャビネットが知られている（例えば特許文献１参照）。この家電収納キャビネットにあっては、収納部が開閉扉によって完全に閉塞されると、リミットスイッチにより、電源コンセントからスチームレンジへの電力の供給が停止される。
【先行技術文献】
【特許文献】
【０００３】
【特許文献１】特開２００９−２２５９４９号公報
【発明の概要】
【発明が解決しようとする課題】
【０００４】
特許文献１に示される従来例にあっては、電源コンセントからの電力の供給を停止する意図がなくても、不用意に開閉扉が閉まってしまうと電源コンセントからの電力の供給が停止してしまうものであった。
【０００５】
本開示は上記従来の問題点に鑑み、給電を切とする意図がないのに不用意に扉を閉じてしまって給電が切となってしまうのを抑制する収納キャビネット及び収納家具を提供することを目的とするものである。
【課題を解決するための手段】
【０００６】
上記課題を解決するために、本開示に係る一形態の収納キャビネットは、キャビネット本体と、扉と、給電部と、切替操作部と、を備える。前記キャビネット本体は、内部に形成される収納空間と、前記収納空間と前方の外部空間とを通じさせる開口と、を有する。前記扉は、前記開口を開閉する。前記給電部は、前記収納空間に収納される電気機器に給電を行うためのものである。前記切替操作部は、前記給電の入切を切替える操作を行うためのものである。前記切替操作部は、前記給電を入とする入位置と、前記給電を切とする切位置との間を移動可能に構成される。前記切替操作部は、前記入位置に位置している状態で、前記開口を閉塞していない前記扉が前記開口を閉塞する方向に移動するのを規制する閉塞規制部を構成し、前記切位置に位置している状態で、前記閉塞規制部を構成しない。
【０００７】
また、本開示に係る一の形態の収納家具は、前記収納キャビネットと、前記収納キャビネットの下側に位置して前記収納キャビネットを載置する下段キャビネットと、を備える。前記下段キャビネットは、内部に形成される下段収納空間と前方の外部空間とを通じさせる下段開口を有する下段キャビネット本体と、前記下段開口を開閉する下段扉と、前記下段開口を閉塞する前記下段扉と前記下段キャビネット本体の前面との間に配置されるパッキンと、を有する。前記入位置にある前記切替操作部は、前記パッキンの前側に位置する。
【発明の効果】
【０００８】
本開示に係る収納キャビネット及び収納家具にあっては、給電を切とする意図がないのに不用意に扉を閉じてしまって給電が切となってしまうのを抑制する。
【図面の簡単な説明】
【０００９】
【図１】図１は、一実施形態に係る収納キャビネットの扉を開いた状態の斜視図である。
【図２】図２は、同上の収納キャビネットの要部断面図である。
【図３】図３は、同上の収納キャビネットの載置部移動機構を説明する要部断面図である。
【図４】図４は、同上の収納キャビネットの載置部が載置部引出位置にある状態の要部断面図である。
【図５】図５は、同上の収納キャビネットの扉移動機構の斜視図である。
【図６】図６は、同上の収納キャビネットの扉が扉収納位置にある状態の斜視図である。
【図７】図７は、同上の収納キャビネットの扉移動機構の動作を説明する要部断面図である。
【図８】図８は、同上の収納キャビネットの扉を閉じた状態の斜視図である。
【図９】図９は、同上の収納キャビネットの切替操作部が入位置にある状態の斜視図である。
【図１０】図１０は、同上の収納キャビネットの切替操作部が入位置にある状態の要部断面図である。
【図１１】図１１Ａは、同上の収納キャビネットの操作部支持部を説明する要部断面図である。図１１Ｂは、同上の操作部支持部のレール部材の斜視図である。
【図１２】図１２は、一実施形態に係る収納家具の斜視図である。
【図１３】図１３は、同上の収納家具の要部断面図である。
【発明を実施するための形態】
【００１０】
以下、本開示に係る収納キャビネット及び収納家具について、実施形態に基づいて説明する。なお、本開示に係る収納キャビネット及び収納家具の実施形態は、下記実施形態に限定されるものではなく、本開示に係る技術的思想を逸脱しない範囲において、種々の変更が可能である。
【００１１】
（実施形態）
本実施形態に係る収納キャビネット１及び収納家具６について、図１〜図１３に基づいて説明する。
【００１２】
（１）概要
図１に示すように、収納キャビネット１は、キャビネット本体２と、扉３と、給電部１１と、切替操作部４と、を備える。キャビネット本体２は、内部に形成される収納空間２０と、収納空間２０と前方の外部空間とを通じさせる開口２１と、を有する。扉３は、開口２１を開閉する。給電部１１は、収納空間２０に収納される電気機器に給電を行うためのものである。切替操作部４は、給電の入切を切替える操作を行うためのものである。
【００１３】
切替操作部４は、給電を入とする入位置と（図９及び図１０参照）、給電を切とする切位置（図１及び図２参照）との間を移動可能に構成される。切替操作部４は、入位置に位置している状態で、開口２１を閉塞していない扉３が開口２１を閉塞する方向に移動するのを規制する閉塞規制部を構成し、切位置に位置している状態で、閉塞規制部を構成しない。
【００１４】
本実施形態に係る収納キャビネット１にあっては、開口２１を閉塞していない扉３が開口２１を閉塞する方向に移動しても、扉３が閉塞規制部を構成する切替操作部４に当たって扉３が閉じるのが規制され、電気機器への給電が切となることが抑制される。
【００１５】
図１３に示すように、収納家具６は、収納キャビネット１と、収納キャビネット１の下側に位置して収納キャビネット１を載置する下段キャビネット７と、を備える。下段キャビネット７は、内部に形成される下段収納空間７３と前方の外部空間とを通じさせる下段開口７４を有する下段キャビネット本体７１と、下段開口７４を開閉する下段扉７５と、下段開口７４を閉塞する下段扉７５と下段キャビネット本体７１の前面との間に配置されるパッキン７２と、を有する。入位置にある切替操作部４は、パッキン７２の前側に位置する。
【００１６】
本実施形態に係る収納家具６にあっては、切替操作部４が入位置にある場合、使用者がパッキン７２の前側よりパッキン７２の方を見ても、切替操作部４に隠れてパッキン７２が見えない。
【００１７】
（２）詳細
（２．１）構成
図１及び図２に示すように、収納キャビネット１は、キャビネット本体２と、扉３と、給電部１１と、切替操作部４と、を備える。
【００１８】
（２．１．１）キャビネット本体
キャビネット本体２は、内部に形成される収納空間２０と、収納空間２０と前方の外部空間とを通じさせる開口２１と、を有する。キャビネット本体２は、天板２２、側板２３、底板２６及び背板２７により構成される。なお、本開示における前後左右については、図１に示すように定義する。すなわち、平面視における収納キャビネット１の中心部からみて、開口２１は一方向にのみ形成されており、この開口２１が形成されている方を前方とするとともにその反対を後方とする。また、左方及び右方については、前方から後方をみたときの左方及び右方とする。
【００１９】
天板２２及び底板２６は、平面視矩形状をしたものである。側板２３は、側面視矩形状をしたものである。背板２７は、正面視矩形状をしたものである。天板２２、側板２３、底板２６及び背板２７は、木質材、樹脂等、適宜の材料により板状に形成され、適宜の厚みに形成される。
【００２０】
本実施形態では、収納キャビネット１は、電気機器が載置される載置部５を更に備える。載置部５は、平面視矩形状をした板状のもので、底板２６と略同じ形状をしているが、底板２６より若干小さく形成されている。載置部５は、底板２６等と同様の材料により板状に形成され、適宜の厚みに形成される。載置部５は、収納空間２０内に収納されるもので、底板２６から若干の間隔をあけた上方に配置される。
【００２１】
本実施形態では、キャビネット本体２が載置部５を備えるため、収納空間２０は、天板２２、側板２３、載置部５及び背板２７により囲まれる部分となる。
【００２２】
載置部５に載置される電気機器としては、炊飯器、電子レンジ又はオーブントースター等が挙げられるが、特に限定されない。
【００２３】
本実施形態では、図３に示すように、載置部５は、載置部移動機構５１により、前後方向に移動可能に構成される。載置部移動機構５１は、固定側レール部材５２、中間レール部材５３及び移動側レール部材５４により構成される。固定側レール部材５２は、側板２３（特に、後述する第１の側板２４）の収納空間２０を向く面に取り付けられる。移動側レール部材５４は、載置部５の側板２３を向く端面に取り付けられる。中間レール部材５３は、固定側レール部材５２と移動側レール部材５４とにそれぞれ相対移動可能に嵌まり合っている。載置部５は、載置部移動機構５１により、図２に示す載置部収納位置と、図４に示す載置部引出位置との間を移動可能に構成される。図２に示す載置部収納位置は、載置部５の前端部がキャビネット本体２の前端部より前側に位置しない。また、図４に示す載置部引出位置は、載置部５の前端部がキャビネット本体２の前端部より前側に位置する。
【００２４】
（２．１．２）扉
図１に示すように、扉３は、収納キャビネット１の開口２１を開閉する。扉３は、正面視矩形状をしたものである。本実施形態では、収納キャビネット１は、扉３として、左側の扉３及び右側の扉３を備えている。左側の扉３の回転軸３０（図７参照）となる左右方向の一端部は、キャビネット本体２の左端部に位置する。また、右側の扉３の回転軸３０となる左右方向の端部は、キャビネット本体２の右端部に位置している。扉３は、天板２２等と同様の材料により板状に形成され、適宜の厚みに形成される。キャビネット本体２と扉３とにより、筐体が構成される。
【００２５】
本実施形態では、図５に示すように、扉３は、扉移動機構３１により、前後方向に移動可能に構成される。扉移動機構３１は、レール部材３２、移動部材３３及び回転部材３４により構成される。レール部材３２は、上片３２１、縦片３２２、下片３２３、前片３２４及び後片３２５を有する。レール部材３２は、側板２３に沿うように、天板２２及び底板２６にそれぞれ取り付けられる。移動部材３３は、ローラ３３１を有する。ローラ３３１は、レール部材３２に挿入され、レール部材３２の長手方向に沿って移動可能となる。これにより、移動部材３３は、前後方向に移動可能となる。また、前片３２４により、ローラ３３１の前方への移動が規制され、後片３２５により、ローラ３３１の後方への移動が規制される。
【００２６】
回転部材３４は、移動部材３３に連結される回転部３４１を有する。回転部３４１は、軸と軸受のうちの一方を有し、軸と軸受のうちの他方は移動部材３３に形成される。回転部材３４には、扉３の回転軸３０となる側の端部が取り付けられる。
【００２７】
図６に示すように、左右の側板２３はそれぞれ、内側の第１の側板２４と、外側の第２の側板２５とを有する二重構造をなしている。第１の側板２４と第２の側板２５と間の空間が、扉収納空間となる。扉３は、回転軸３０となる一端部が、キャビネット本体２の前端部より後側に位置する扉収納位置に収納される。
【００２８】
また、扉３は、図１に示すように、回転軸３０となる一端部がキャビネット本体２の前端部に位置する扉引出位置に引出される。すなわち、扉３は、扉移動機構３１により、扉引出位置と扉収納位置との間を移動可能に構成される。
【００２９】
扉収納位置から扉引出位置まで引き出された扉３は、図７に示すように、回転部３４１により、回転軸３０を中心に回転する。すなわち、扉３は、回転軸３０となる一端部が、キャビネット本体２の前端部に位置した状態で、左右方向の他端部が回転可能に構成されている。扉３の他端部を回転させることにより、図８に示すように、扉３が収納キャビネット１の開口２１を閉じる状態となる。
【００３０】
（２．１．３）給電部
図１に示すように、給電部１１は、収納空間２０に収納される電気機器に給電を行うためのものである。具体的には、給電部１１は、電気機器が有する電源コードのプラグの栓刃が差し込まれるコンセントである。給電部１１には、外部の商用電源等の電源より電力が供給される。
【００３１】
（２．１．４）切替操作部
図９及び図１０に示すように、切替操作部４は、給電の入切を切替える操作を行うためのものである。切替操作部４は、平面視矩形状をした板状のもので、載置部５等と同様の材料により形成され、適宜の厚みに形成される。本実施形態では、切替操作部４の左右方向の長さは、収納空間２０の左右方向の長さを含む所定の長さ範囲内にある。ここで、所定の長さ範囲内とは、収納空間２０の左右方向の長さから、これよりも若干（例えば５ｍｍ〜３ｃｍ）短い長さまでの範囲をいうが、特に限定されない。
【００３２】
切替操作部４は、キャビネット本体２の下端部に位置する。具体的には、切替操作部４は、底板２６の上側でかつ載置部５の下側の空間に配置される。
【００３３】
図１１Ａ及び図１１Ｂに示すように、切替操作部４は、操作部支持部４１により支持され、かつ、前後方向に移動可能に構成される。操作部支持部４１は、レール部材４２及び挿入部４７により構成される。レール部材４２は、上片４３、縦片４４、下片４５及び前片４６を有する。レール部材４２は、第１の側板２４の収納空間２０を向く面に取り付けられる。挿入部４７は、切替操作部４の側板２３を向く端面に取り付けられる。挿入部４７は、レール部材４２に挿入され、レール部材４２の長手方向に沿って移動可能となる。これにより、切替操作部４は、前後方向に移動可能となる。また、前片４６により、挿入部４７の前方への移動が規制される。
【００３４】
切替操作部４は、給電を入とする図１０に示す入位置と、図２に示す給電を切とする切位置との間を移動可能に構成される。キャビネット本体２は、切替操作部４の位置により、給電の入切が切り替えられる切替部１２を有する。切替部１２は、例えばリミットスイッチ等により構成されるが、特にリミットスイッチに限定されない。
【００３５】
また、切替操作部４は、図２及び図１０に示すように、位置保持機構４８により、入位置と切位置がそれぞれ保持される。位置保持機構４８は、いわゆるハート型カムにより構成されるが、特にハート型カムに限定されない。
【００３６】
図９及び図１０に示すように、切替操作部４は、入位置では、前端部がキャビネット本体２の前端部より前側に位置している。切替操作部４は、入位置に位置している状態で、開口２１を閉塞していない扉３が開口２１を閉塞する方向に移動するのを規制する閉塞規制部を構成する。すなわち、扉３に面する端部が、扉３が閉じるのを規制している。
【００３７】
また、図１及び図２に示すように、切替操作部４は、切位置では、前端部がキャビネット本体２の前端部より前側に位置しない。切替操作部４は、切位置に位置している状態では、閉塞規制部を構成しない。これにより、図８に示すように、扉３を閉じることができる。
【００３８】
（２．１．５）収納家具
図１２及び図１３に示すように、収納家具６は、収納キャビネット１と、収納キャビネット１の下側に位置して収納キャビネット１を載置する下段キャビネット７と、を備える。
【００３９】
下段キャビネット７は、下段キャビネット本体７１と、下段扉７５と、パッキン７２と、を有する。下段キャビネット本体７１は、天板、側板、底板及び背板により構成される。下段キャビネット本体７１は、全体の形状及び大きさにおいて、収納キャビネット１と略同じに形成される。下段収納空間７３は、天板、側板、底板、背板及び下段扉７５により囲まれる部分である。下段キャビネット本体７１は、内部の下段収納空間７３と前方の外部空間とを通じさせる下段開口７４を有する。下段扉７５は、下段キャビネット本体７１の下段開口７４を開閉する。下段キャビネット本体７１は、下段扉７５として、左側の下段扉７５及び右側の下段扉７５を備えている。左側の下段扉７５の回転軸となる左右方向の端部は、下段キャビネット本体７１の左端部に位置する。また、右側の下段扉７５の回転軸となる左右方向の端部は、下段キャビネット本体７１の右端部に位置している。
【００４０】
パッキン７２は、下段開口７４を閉塞する下段扉７５と、下段キャビネット本体７１の前面との間に配置される。本実施形態では、下段キャビネット本体７１の前端面に、正面視環状をしたＯリングからなるパッキン７２が取り付けられる。
【００４１】
入位置にある切替操作部４、すなわち前方に突出している切替操作部４は、パッキン７２の上側でかつパッキン７２の前側に位置する。これにより、収納家具６の前方に位置する使用者は、切替操作部４が入位置にある場合、パッキン７２の上側でかつパッキン７２の前側よりパッキン７２の方を見ても、切替操作部４に隠れてパッキン７２が見えない。
【００４２】
（２．２）動作
使用者は、図８に示すように扉３が開口２１を閉じている状態から、電気機器を使用しようとする場合、まず、図１に示すように扉３を開ける。この状態では、切替操作部４が切位置にあり、電気機器への給電は行われていない。
【００４３】
次に、使用者は、切替操作部４を入位置にまで引き出す。本実施形態では、キャビネット本体２はいわゆるハート型カムからなる位置保持機構４８を有している。このため、使用者は、切位置にある切替操作部４を後方に押すことにより、切替操作部４は一旦後方に後退した後、図９及び図１０に示すように、切替操作部４は入位置にまで前進する。切替操作部４は入位置にまで前進すると、リミットスイッチからなる切替部１２を押す力がなくなって給電の入切が切り替えられ、電気機器への給電が入となる。また、使用者は、必要に応じて、載置部５を引き出して、電気機器をキャビネット本体２より前方に位置させる（図４参照）。
【００４４】
切替操作部４が入位置にある状態では、切替操作部４は閉塞規制部を構成しており、扉３が開口２１を閉塞する方向に移動しても、扉３が切替操作部４の端面に当たって、扉３が閉じるのが規制される。電気機器への給電を切とする意図がない場合、使用者が不用意に扉３を閉じようとしても扉３が閉じることはなく、電気機器への給電は切とならない。これにより、従来例のように、電気機器への給電を切とする意図がないのに不用意に扉３を閉じてしまって、電気機器への給電が切となってしまうのが抑制される。
【００４５】
使用者が電気機器への給電を切とする場合、使用者は、図１及び図２に示すように、切替操作部４を切位置にまで押し込む。これにより、電気機器への給電は切となる。
【００４６】
切替操作部４が切位置にある場合、切替操作部４は閉塞規制部を構成しないため、使用者は扉３を回転させて、開口２１を閉塞することができる。
【００４７】
（３）変形例
天板２２、底板２６、載置部５及び切替操作部４の平面視における形状、側板２３の側面視における形状、扉３及び背板２７の正面視における形状は、特に限定されない。
【００４８】
天板２２、側板２３、底板２６、背板２７、載置部５、切替操作部４及び扉３の材質、大きさ、厚みは、特に限定されない。
【００４９】
キャビネット本体２が載置部５を備えない場合には、収納空間２０は、天板２２、側板２３、底板２６及び背板２７により囲まれる部分となる。
【００５０】
載置部５は、上述したような載置部移動機構５１によらずに前後方向に移動可能に構成されてもよい。また、載置部５は、前後方向に移動可能に構成されなくてもよい。
【００５１】
載置部収納位置は、載置部５の前端部がキャビネット本体２の前端部と前後方向における位置が同じとなる位置であってもよい。
【００５２】
扉３は、左側の扉３と右側の扉３とに分割されていなくてもよい。また、扉３は、上下方向に伸びる回転軸３０を中心に回転するが、回転軸３０の伸びる方向は左右方向であってもよく、特に限定されない。
【００５３】
扉３は、上述したような扉移動機構３１によらずに前後方向に移動可能に構成されてもよい。また、扉３は、前後方向に移動可能に構成されなくてもよい。
【００５４】
切替操作部４の位置は、キャビネット本体２の下端部でなく、キャビネット本体２の上端部等であってもよく、特に限定されない。
【００５５】
下段キャビネット本体７１は、全体の形状及び大きさにおいて、収納キャビネット１と略同じに形成されなくてもよい。また、下段キャビネット本体７１は、収納キャビネット１と同じものであってもよい。
【００５６】
下段扉７５は、左側の扉３と右側の扉３とに分割されていなくてもよい。
【００５７】
パッキン７２は、Ｏリングに限定されない。
【００５８】
（まとめ）
以上、上述した実施形態及び変形例から明らかなように、第１の態様の収納キャビネット１は、キャビネット本体２と、扉３と、給電部１１と、切替操作部４と、を備える。キャビネット本体２は、内部に形成される収納空間２０と、収納空間２０と前方の外部空間とを通じさせる開口２１と、を有する。扉３は、開口２１を開閉する。給電部１１は、収納空間２０に収納される電気機器に給電を行うためのものである。切替操作部４は、給電の入切を切替える操作を行うためのものである。切替操作部４は、給電を入とする入位置と、給電を切とする切位置との間を移動可能に構成される。切替操作部４は、入位置に位置している状態で、開口２１を閉塞していない扉３が開口２１を閉塞する方向に移動するのを規制する閉塞規制部を構成し、切位置に位置している状態で、閉塞規制部を構成しない。
【００５９】
第１の態様によれば、開口２１を閉塞していない扉３が開口２１を閉塞する方向に移動しても、扉３が閉塞規制部を構成する切替操作部４に当たって扉３が閉じるのが規制され、給電が切となることが抑制される。
【００６０】
第２の態様では、第１の態様との組み合わせにより実現され得る。第２の態様では、収納キャビネット１は、収納空間２０内に収納され、電気機器が載置される載置部５を更に備える。載置部５は、前端部がキャビネット本体２の前端部より前側に位置する載置部引出位置と、前端部がキャビネット本体２の前端部より前側に位置しない載置部収納位置との間を移動可能に構成される。
【００６１】
第２の態様によれば、電気機器をキャビネット本体２より前方に位置させることができ、電気機器を操作しやすい。
【００６２】
第３の態様では、第１又は第２の態様との組み合わせにより実現され得る。第３の態様は、扉３は、回転軸３０となる左右方向の一端部がキャビネット本体２の前端部に位置し、左右方向の他端部が回転可能に構成されている。切替操作部４は、キャビネット本体２の下端部に位置する。切替操作部４は、入位置では、前端部がキャビネット本体２の前端部より前側に位置しており、切位置では、前端部がキャビネット本体２の前端部より前側に位置しない。
【００６３】
第３の態様によれば、扉３の一端部が回転軸３０となり、扉３の他端部が回転してキャビネット本体２の開口２１を閉じるものにおいて、切替操作部４がキャビネット本体２の前端部より前側に位置するだけで、閉塞規制部を構成することができる。
【００６４】
第４の態様では、第３の態様との組み合わせにより実現され得る。第４の態様では、扉３は、回転軸３０となる一端部がキャビネット本体２の前端部に位置する扉引出位置と、一端部がキャビネット本体２の前端部より後側に位置する扉収納位置との間を移動可能に構成される。
【００６５】
第４の態様によれば、電気機器の使用時に扉３を収納することができて、扉３が邪魔にならない。
【００６６】
第５の態様では、第４の態様との組み合わせにより実現され得る。第５の態様では、収納キャビネット１は、扉３として、左側の扉３及び右側の扉３を備える。左側の扉３の回転軸３０はキャビネット本体２の左端部に位置し、右側の扉３の回転軸３０はキャビネット本体２の右端部に位置している。切替操作部４の左右方向の長さは、収納空間２０の左右方向の長さを含む所定の長さ範囲内にある。
【００６７】
第５の態様によれば、一の切替操作部４により、左側の扉３及び右側の扉３の閉塞規制部を構成することができる。
【００６８】
第６の態様の収納家具６は、第３〜第５のいずれかの態様の収納キャビネット１と、収納キャビネット１の下側に位置して収納キャビネット１を載置する下段キャビネット７と、を備える。下段キャビネット７は、内部に形成される下段収納空間７３と前方の外部空間とを通じさせる下段開口７４を有する下段キャビネット本体７１と、下段開口７４を開閉する下段扉７５と、下段開口７４を閉塞する下段扉７５と下段キャビネット本体７１の前面との間に配置されるパッキン７２と、を有する。入位置にある切替操作部４は、パッキン７２の前側に位置する。
【００６９】
第６の態様によれば、切替操作部４が入位置にある場合、使用者がパッキン７２の前側よりパッキン７２の方を見ても、切替操作部４に隠れてパッキン７２が見えない。
【符号の説明】
【００７０】
１    収納キャビネット
１１  給電部
２    キャビネット本体
２０  収納空間
２１  開口
２３  側板
３    扉
３０  回転軸
４    切替操作部
５    載置部
６    収納家具
７    下段キャビネット
７１  下段キャビネット本体
７２  パッキン
７３  下段収納空間
７４  下段開口
７５  下段扉
【図１】
2020195555.tif 000003
【図２】
2020195555.tif 000004
【図３】
2020195555.tif 000005
【図４】
2020195555.tif 000006
【図５】
2020195555.tif 000007
【図６】
2020195555.tif 000008
【図７】
2020195555.tif 000009
【図８】
2020195555.tif 000010
【図９】
2020195555.tif 000011
【図１０】
2020195555.tif 000012
【図１１】
2020195555.tif 000013
【図１２】
2020195555.tif 000014
【図１３】
2020195555.tif 000015